(57)【要約】【課題】設置箇所の環境によって各種の機能を使い易くできる台間サンドを提供する。【解決手段】遊技機２同士の、又は遊技機島１の端部と遊技機２との台間に配置される台間サンド１０であって、前面の少なくとも一部において開口部を有するホルダー１１と、ホルダー１１の中空部１１Ｃに収納され、遊技者に便宜を図る機能を提供する機能ユニット２０とを備え、機能ユニット２０がホルダー１１の前面及び側面の少なくとも一方に固定的に又は着脱可能に取り付けられることを特徴とする台間サンド１０。【選択図】  図１
2013176554.tif 000002
【特許請求の範囲】
【請求項１】
遊技機同士の、又は遊技機島の端部と遊技機との台間に配置される台間サンドであって、
前面の少なくとも一部において開口部を有するホルダーと、
前記ホルダーの前記開口部に収納され、遊技者に便宜を図る機能を提供する機能ユニットとを備え、
前記機能ユニットが前記ホルダーの前記前面及び前記側面の少なくとも一方に固定的に又は着脱可能に取り付けられることを特徴とする台間サンド。
【請求項２】
前記ホルダーがその前記側面の内側に少なくとも１つの爪部を有し、
前記機能ユニットがその側面の外側に前記少なくとも１つの爪部に係合する突起部を有することを特徴とする請求項１に記載の台間サンド。
【請求項３】
前記少なくとも１つの爪部が縦方向に所定の間隔をもつ複数の爪部から構成され、
前記機能ユニットが、その前記突起部を前記複数の爪部の一部に選択的に係合させることにより、前記ホルダーの前記中空部の任意の箇所に収納されることを特徴とする請求項２に記載の台間サンド。
【請求項４】
前記複数の爪部が一定の間隔をもって形成され、
前記機能ユニットが前記一定の間隔の正の整数倍に対応する縦方向の長さを有することを特徴とする請求項３に記載の台間サンド。
【請求項５】
さらに、前記機能ユニットがその前記側面と前記突起部との間にスペーサ板を有することを特徴とする請求項２ないし４のいずれか１項に記載の台間サンド。
【請求項６】
前記機能ユニットが情報案内ユニット、飲物等載置ユニット、小物入れユニット、現金投入ユニット、カードユニット、遊技媒体貸出ユニット、携帯電話等充電ユニット、空気浄化ユニット及びスペーサユニットからなる群から選択される少なくとも１つであることを特徴とする請求項１ないし５のいずれか１項に記載の台間サンド。
【請求項７】
さらに、前記ホルダーに固定的に又は可動的に取り付けられ、隣接する遊技者同士の分煙を図る少なくとも１枚の分煙ボードを備えることを特徴とする請求項１ないし６のいずれか１項に記載の台間サンド。
【請求項８】
前記少なくとも１枚の分煙ボードが前記ホルダーに対し、摺動可能、回動可能又は折畳み可能に取り付けられていることを特徴とする請求項７に記載の台間サンド。
【請求項９】
前記少なくとも１枚の分煙ボードが複数の分煙ボードから構成され、前記ホルダーに固定的に又は可動的に取り付けられる第１の分煙ボートに対し、第２の分煙ボードが摺動可能、回動可能又は折畳み可能に取り付けられていることを特徴とする請求項７に記載の台間サンド。
【請求項１０】
遊技機の台間に配置される台間サンドであって、
遊技を行う際の便宜を図る各機能が組み込まれた複数の機能ユニットと、
これら機能ユニットを上下方向に並設させて収納させるホルダーと、から構成され、
前記機能ユニットのうち少なくとも幾つかは、前記ホルダーから取り外せるように構成されているともに、他の機能ユニットと交換して前記ホルダーに収納できるように構成されていることを特徴とする台間サンド。
【請求項１１】
前記機能ユニットは、他の機能ユニットとともに前記ホルダーに収納されるスペーサユニットが含まれることを特徴とする請求項１０に記載の台間サンド。
【請求項１２】
前記ホルダーは、遊技者側の正面において横幅の異なるものを備え、
横幅の大きなホルダーが遊技機の台間に配置される場合に、前記ホルダーから取り出し可能に配置される前記機能ユニットは、前記ホルダーとの間にスペーサ板を介在させて収納されることを特徴とする請求項１０又は１１に記載の台間サンド。
【発明の詳細な説明】
【技術分野】
【０００１】
本発明は、パチンコ台等の遊技機同士の、又は遊技機島の端部と遊技機との台間に配置される台間サンドに関する。
【背景技術】
【０００２】
このような台間サンドは、隣接する遊技機の間の狭いスペースに合わせて、高さ寸法が大きく幅寸法が小さい薄型の箱体状の装置として構成されている。そして、台間サンドには、例えば遊技媒体貸出装置を備え、その前面に形成されている貨幣あるいはカード投入口から貨幣（硬貨や紙幣）あるいは遊技カードを投入することにより、所定数の遊技媒体（パチンコ玉）の貸し出しを受けることができるようになっているものがある。
【０００３】
また、台間サンドは、例えば下記特許文献１に示すように、台間サンドの前面部の高さ方向の一部の領域において、上下一対の指掛け部が形成され、少なくとも一方の指掛け部に対向するようにして指紋読取装置を配置させ、これにより、カード使用者の本人確認を行い得る機能を具備させたものが知られている。
【０００４】
さらに、台間サンドは、例えば下記特許文献２に示すように、台間サンドの前面部の高さ方向の一部の領域において、マイナスイオン及びオゾンを発生させるイオン・オゾン発生部と、このマイナスイオン及びオゾンを含むイオン・オゾン風を台間サンドの外部に排出するイオン・オゾン排出口を具備させ、これにより、遊技者の喫煙による汚染された空気の除去を図る機能を具備させたものが知られている。
【０００５】
このことから、近年、台間サンドは、上述した遊技媒体貸出装置の他に、遊技を行う際の便宜を図る種々の機能が組み込まれた構成のものが知られるに至っている。
【０００６】
以上に加え、最近、遊技者の喫煙志向が低下する傾向に対応すべく、遊技機間に分煙ボードを設置することが普及しつつある。例えば下記特許文献３には、複数の遊技機が並列して配設された島設備の遊技機間に配置され、各遊技機を仕切ると共に、隣接する遊技機からの煙草の煙の流入を防止しうる分煙ボードであって、上記島設備の高さ方向に沿って固定しうる高さ方向フレーム部と、上記高さ方向フレーム部に固定され、遊技機前方へ突出して配置される固定板部と、上記固定板部に重ね合わせて配置されると共に上記固定板部に沿って遊技機前方へ前出しうるように上記固定板部の下端部に回動可能に固定された仕切り板部とを備えた構成とした分煙ボードが開示されている。
【先行技術文献】
【特許文献】
【０００７】
【特許文献１】特開２００４−３０５４１４号公報
【特許文献２】特開２００３−２８４８６５号公報
【特許文献３】特開２０１２−０１１１４０号公報
【発明の概要】
【発明が解決しようとする課題】
【０００８】
しかし、特許文献１及び２のように各種の機能が組み込まれた台間サンドは、その枠体に各機能をもつ機構を例えば螺子等を用いて固定させた状態で構成したものであった。
【０００９】
このため、台間サンドは、それぞれ機能の異なる機構が、上方から下方にかけて配置されたものとなるが、それぞれの機構のこのような配列はその後において簡単に変更するのが困難となり、また、不要となった機構を他の新たな機構に変更するのが困難となっていた。
【００１０】
この場合、例えば、パチンコホールに台間サンドを設置しようとする場合、その設置箇所の環境によって、いままで台間サンドの上方に配置されていたある機能の機構を下方に配置させた方がよいという場合が生じ、また、いままで取り付けられていたある機能の機構を他の機能の機構に取り換えた方がよいという場合が生じる。
【００１１】
このことから、従来の台間サンドは汎用性に乏しく、上記の要望が生じた場合には、新たな構成の台間サンドを製作しなければならないという不都合を有していた。
【００１２】
また、隣接する遊技機の狭いスペースに設置させなければならない台間サンドは、その設置箇所の環境によって、最適な幅寸法を有するものを製作しなければならなくなる。このため、その寸法に合わせて、台間サンドに組み込む各種の機能を有する各機構も大きさを異ならしめて構成しなければならず、生産の作業効率が悪くなるという不都合を有していた。
【００１３】
他方、特許文献３によれば、その分煙ボードは、フレームを遊技機自体に装着するものと記載されており、上記したような台間サンドとの関係は考慮されていない。このため、遊技機島全体のスペース取り、遊技者の遊技機利用に際しての便宜、パチンコホール側の遊技機のメンテナンスなどにおいて不便であるという不都合を有していた。
【００１４】
本発明は、以上のような事情に鑑みてなされたものであり、その目的は、設置箇所の環境によって各種の機能を使い易くできる多機能な台間サンドを提供することにある。
【００１５】
また、本発明の他の目的は、異なる幅寸法の台間サンドを製作する場合でも、該台間サンドに組み込む各種の機能ユニットをそのまま使用することができる台間サンドを提供することにある。
【００１６】
また、分煙ボードと一体化した台間サンドを提供することにある。
【課題を解決するための手段】
【００１７】
本発明は、以下の構成によって把握される。
【００１８】
（１）本発明の台間サンドは、遊技機同士の、又は遊技機島の端部と遊技機との台間に配置される台間サンドであって、前面の少なくとも一部において開口部を有するホルダーと、前記ホルダーの前記開口部に収納され、遊技者に便宜を図る機能を提供する機能ユニットとを備え、前記機能ユニットが前記ホルダーの前記前面及び前記側面の少なくとも一方に固定的に又は着脱可能に取り付けられることを特徴とする。
【００１９】
（２）本発明の台間サンドは、（１）の構成において、前記ホルダーがその前記側面の内側に少なくとも１つの爪部を有し、前記機能ユニットがその側面の外側に前記少なくとも１つの爪部に係合する突起部を有することを特徴とする。
【００２０】
（３）本発明の台間サンドは、（２）の構成において、前記少なくとも１つの爪部が縦方向に所定の間隔をもつ複数の爪部から構成され、前記機能ユニットが、その前記突起部を前記複数の爪部の一部に選択的に係合させることにより、前記ホルダーの前記中空部の任意の箇所に収納されることを特徴とする。
【００２１】
（４）本発明の台間サンドは、（３）の構成において、前記複数の爪部が一定の間隔をもって形成され、前記機能ユニットが前記一定の間隔の正の整数倍に対応する縦方向の長さを有することを特徴とする。
【００２２】
（５）本発明の台間サンドは、（２）ないし（４）のいずれか１つの構成において、さらに、前記機能ユニットがその前記側面と前記突起部との間にスペーサ板を有することを特徴とする。
【００２３】
（６）本発明の台間サンドは、（１）ないし（５）のいずれか１つの構成において、前記機能ユニットが情報案内ユニット、飲物等載置ユニット、小物入れユニット、現金投入ユニット、カードユニット、遊技媒体貸出ユニット、携帯電話等充電ユニット、空気浄化ユニット及びスペーサユニットからなる群から選択される少なくとも１つであることを特徴とする。
【００２４】
（７）本発明の台間サンドは、（１）ないし（６）のいずれか１つの構成において、さらに、前記ホルダーに固定的に又は可動的に取り付けられ、隣接する遊技者同士の分煙を図る少なくとも１枚の分煙ボードを備えることを特徴とする。
【００２５】
（８）本発明の台間サンドは、（７）の構成において、前記少なくとも１枚の分煙ボードが前記ホルダーに対し、摺動可能、回動可能又は折畳み可能に取り付けられていることを特徴とする。
【００２６】
（９）本発明の台間サンドは、（７）の構成において、前記少なくとも１枚の分煙ボードが複数の分煙ボードから構成され、前記ホルダーに固定的に又は可動的に取り付けられる第１の分煙ボートに対し、第２の分煙ボードが摺動可能、回動可能又は折畳み可能に取り付けられていることを特徴とする。
【００２７】
（１０）本発明の台間サンドは、遊技機の台間に配置される台間サンドであって、遊技を行う際の便宜を図る各機能が組み込まれた複数の機能ユニットと、これら機能ユニットを上下方向に並設させて収納させるホルダーと、から構成され、前記機能ユニットのうち少なくとも幾つかは、前記ホルダーから取り外せるように構成されているともに、他の機能ユニットと交換して前記ホルダーに収納できるように構成されていることを特徴とする。
【００２８】
（１１）本発明の台間サンドは、（１０）の構成において、前記機能ユニットは、他の機能ユニットとともに前記ホルダーに収納されるスペーサユニットが含まれることを特徴とする。
【００２９】
（１２）本発明の台間サンドは、（１０）又は（１１）の構成において、前記ホルダーは、遊技者側の正面において横幅の異なるものを備え、横幅の大きなホルダーが遊技機の台間に配置される場合に、前記ホルダーから取り出し可能に配置される前記機能ユニットは、前記ホルダーとの間にスペーサを介在させて収納されることを特徴とする。
【発明の効果】
【００３０】
このように構成された台間サンドは、設置箇所の環境によって各種の機能を使い易くできるようになる。
【００３１】
また、このように構成された台間サンドは、異なる幅寸法の台間サンドを製作する場合でも、該台間サンドに組み込む各種の機能ユニットをそのまま使用することができるようになる。
【図面の簡単な説明】
【００３２】
【図１】本発明の台間サンドの第１の実施形態を示す斜視図である。
【図２】本発明の台間サンドの第１の実施形態の使用態様を示す平面図である。
【図３】図１に示す台間サンドから前方ケースを外した場合の斜視図である。
【図４】機能ユニットとホルダーの側方ケースとの係合を示す断面図である。
【図５】情報案内ユニットの構成を示す斜視図である。
【図６】飲物等載置ユニットの構成を示す斜視図である。
【図７】小物入れユニットの構成を示す斜視図である。
【図８】スペーサユニットの構成を示す斜視図である。
【図９】本発明の台間サンドの使用態様の一例（図１及び３とは異なる位置に機能ユニットを配置した例）を示す斜視図である。
【図１０】本発明の台間サンドの第２の実施形態を示す斜視図である。
【図１１】図１０に示す台間サンドから前方ケースを外した場合の斜視図である。
【図１２】本発明の第２の実施形態で用いられるスペーサ板の構成を示す図である。
【図１３】機能ユニットにスペーサ板を嵌合された場合の斜視図である。
【図１４】本発明の台間サンドの第４の実施形態を示す斜視図である。
【図１５】図１４に示す台間サンドにおいて分煙ボードを収納した場合を示す斜視図である。
【図１６】本発明の台間サンドの第４の実施形態の使用態様を示す平面図である。
【図１７】本発明の台間サンドの第５の実施形態を示す斜視図である。
【発明を実施するための形態】
【００３３】
以下、添付図面を参照して、本発明を実施するための形態（以下、実施形態という）について詳細に説明する。なお、実施形態の説明の全体を通して同じ要素には同じ番号を付している。
【００３４】
（第１の実施形態）
図２は、本発明の台間サンドの使用態様を示す平面図である。図２は、例えばパチンコホール等の遊技室の一部を上方から観た図である。図２に示すように、例えば帯状に延在する遊技機島１があり、この遊技機島１のそれぞれの面にパチンコ台からなる遊技機２が並設されて配置されている。遊技機２の前方には遊技者が着座して遊技をするための遊技席３が設置されている。また、各遊技機２の例えば左側において隣接する他の遊技機２との間に台間サンド１０が配置されている。この台間サンド１０は、例えば、遊技機２とほぼ同じ高さを有するとともに、遊技機２の前面とほぼ面一となる幅狭の前面を有する箱体から構成されている。
【００３５】
この台間サンド１０は、例えば遊技媒体貸出装置を備え、その前面に形成されている貨幣あるいはカード投入口から貨幣（硬貨や紙幣）あるいは遊技カードを投入することにより、所定数の遊技媒体（パチンコ玉）の貸し出しを受けることができるようになっている。
【００３６】
図１は、前記台間サンド１０の外観を示した斜視図である。図１において、ｘ、ｙ、ｚ方向は、それぞれ、台間サンド１０の幅方向、奥行方向、高さ方向に一致づけて示している。台間サンド１０は、高さ寸法（例えば７Ｌの高さを有する）が大きく、幅寸法（例えばＴの幅を有する）が小さい薄型の箱体状からなり、その外枠は、遊技の際の便宜を図る各機能が組み込まれた複数（図１では５個）の機能ユニット２０を上下方向に並設させて収納するホルダー１１を構成するようなっている。
【００３７】
図１では、例えば、各機能ユニット２０は、ホルダー１１の上方から下方へ、順次、情報案内ユニット２０Ａ、スペーサユニット２０Ｂ、スペーサユニット２０Ｃ、飲物等載置ユニット２０Ｄ、及び小物入れユニット２０Ｅが配置されている。情報案内ユニット２０Ａ、スペーサユニット２０Ｂ、スペーサユニット２０Ｃ、飲物等載置ユニット２０Ｄ、及び小物入れユニット２０Ｅは、それぞれ、高さが、例えば、３Ｌ、Ｌ、Ｌ、Ｌ、Ｌの寸法で形成されている。ここで、スペーサユニット２０Ｂ、２０Ｃは、例えば図１に示すように情報案内ユニット２０Ａと飲物等載置ユニット２０Ｄとを所定の間隔に設定させる機能を有するユニットとなっているが、この明細書では、情報案内ユニット２０Ａ、飲物等載置ユニット２０Ｄ等と同様に、遊技を行う際の便宜を図る機能ユニットとして把握する。なお、機能ユニット２０としてはこれらに限定されることはなく、例えば、他に、現金投入ユニット、カードユニット、遊技媒体貸出ユニット、携帯電話等充電ユニット、空気浄化ユニット（いずれも、図示せず）などとしてもよい。
【００３８】
ホルダー１１は、上述したように箱体状からなるものであるが、必ずしも収納する各機能ユニット２０を全て被い隠すように構成される必要はなく、例えば、図１に示すように、該機能ユニット２０の幾つかの後方部が露出されるようにして構成されたものであってもよい。図１では、ホルダー１１は、取り付け各機能ユニット２０の少なくとも側方部を取り囲む側方ケース１１Ｂと、この側方ケース１１Ｂの上下端部に例えば螺子等によって取り付けられた前方ケース１１Ａとから構成されている。前方ケース１１Ａは、収納される各機能ユニット２０の前方面（使用の際に例えば操作部等となる面）を露出させることができるように、中空の前面を有している。
【００３９】
台間サンド１０への各機能ユニット２０の収納は、前方ケース１１Ａを側方ケース１１Ｂから取り外すことによって形成されるホルダー１１の開口部から、各機能ユニット２０を差し込むことによってなされるようになっている。
【００４０】
図３は、図１に示す台間サンド１０から前方ケース１１Ａを取り外した場合の図を示し、該前方ケース１１Ａによる規制がなくなることにより、各機能ユニット２０のそれぞれは図中ｙ方向へ引き出してホルダー１１から取り出すことができるようになっている。
【００４１】
ホルダー１１には、その側方ケース１１Ｂの各機能ユニット２０の側面に対向する面には、爪部１２が高さ方向に間隔ｌの距離に隔てられて複数設けられている。この爪部１２は、例えば側方ケース１１Ｂの打ち抜き加工によって構成され、側方ケース１１Ｂの裏面側に屈曲された後にホルダー１１の前方側へ延在されて形成されている。この爪部１２は、機能ユニット２０がホルダー１１に収納される際に、先端が機能ユニットの側壁面（例えば図５において符号２４で示す）の背面に位置づけられるように形成されている。
【００４２】
図４は、機能ユニット２０が、ホルダー１１の各側方ケース１１Ｂの間に配置されている場合の断面を示した図である。図４において、機能ユニット２０が図中矢印α方向から挿入された場合、側壁面２４の先端が側方ケース１１Ｂに形成された爪部１２によって係止されるようになっている。
【００４３】
図１に示すように、各機能ユニット２０は、その高さ方向の寸法が異なるものも存在するが、各機能ユニット２０の選択によって、ホルダー１１に例えば下から隙間なく順次に積み重ねたようにして配置させることができるようになっている。この場合、ホルダー１１の側方ケース１１Ｂに形成される爪部１２は隣接する他の爪部１２と間隔ｌの距離に隔てられて複数設けられているが、このうち両端に位置づけられる各爪部１２は、ホルダー１１の上下端からｌ／２の距離だけ隔てた箇所に形成されるようになっている。これにより、ホルダー１１に収納された各機能ユニット２０は、順番を変えて入れ替えるようにしても、それぞれの機能ユニット２０において、前記爪部１２と係止される箇所は同じ箇所となるようになっている。
【００４４】
図１及び以上の説明では、ホルダー１１に収納された５個の機能ユニット２０すべてを着脱可能に取り付けた例を示しているが、このような構成に限定されるものではない。台間サンド１０にどのような機能ユニット２０を備えるか、さらには、どの機能ユニット２０を固定的に取り付けどの機能ユニット２０を着脱可能に取り付けるかは、それぞれのパチンコホール等のニーズによって異なる。従って、例えば、機能ユニット２０のうちいずれかのみを固定的に取り付けたり、又は機能ユニット２０を取り付ける必要がないと判断される箇所には開口部を設けず、予め閉鎖面としても差し支えない。
【００４５】
以下、図１に示した情報案内ユニット２０Ａ、飲物等載置ユニット２０Ｄ、小物入れユニット２０Ｅ、及びスペーサユニット２０Ｂ（２０Ｃ）の構成について説明をする。
【００４６】
情報案内ユニット２０Ａは、図５に示すように、その前方面２１において高さ方向（図中ｚ方向）に比較的長い長孔２２が奥行方向に深く形成された箱体によって構成されている。この情報案内ユニット２０Ａの長孔２２には、遊技機２の遊技方法を解説したポップ広告、遊技場のイベント案内、飲物等の店内サービス案内などを収納できるようになっている。情報案内ユニット２０Ａには、長孔２２の上方において、留め具２３が固定され、例えばポップ広告に取り付けられたストラップを係合できるようになっている。
【００４７】
そして、情報案内ユニット２０Ａの前方面２１の近傍の側面に側面壁２４が比較的狭い幅Ｗで形成され、その高さ方向の上方側と下方側のそれぞれに高さ方向に延在する突起部２５Ｕ、２５Ｄが形成されている。この側壁面２４と突起部２５Ｕ、２５Ｄは、図示されていない情報案内ユニット２０Ａの他方の面においても同様に形成されたものとなっている。なお、これら突起部２５Ｕ、２５Ｄは、情報案内ユニット２０Ａをホルダー１１に収容した場合に、ホルダー１１の側方ケース１１Ｂに形成された爪部１２とほぼ高さが等しくなる位置に設けられるようになっている。
【００４８】
突起部２５Ｕ（２５Ｄ）は、情報案内ユニット２０Ａを図中（−）ｙ方向へ移動させることによってホルダー１１に収納する際に、図４に示すように、ホルダー１１の側方ケース１１Ｂの前方端面に当接するようになっている。この場合、上述したように、ホルダー１１の側方ケース１１Ｂに形成された爪部１２が情報案内ユニット２０Ａの側壁面２４の背面に位置づけられるようになっている。これにより、情報案内ユニット２０Ａのホルダー１１内において図中（−）ｙ方向（図４においてα方向）への移動が規制されるようになっている。この状態で、図１に示すように、ホルダー１１に前方ケース１１Ａを取り付けることによって、情報案内ユニット２０Ａは、該前方ケース１１Ａによって図中ｘ方向への移動が規制され、ホルダー１１から抜き出すことができないようになっている。
【００４９】
飲物等載置ユニット２０Ｄは、図６（ａ）に示すように、その前方面２１に取手部２６Ａが形成された引出板２６が収納され、この取手部２６Ａを摘まんで引出板２６を引き出すことにより、図６（ｂ）に示すように、いままで該引出板２６と重なり合って配置されていた底板２７が該引出板２６に取り付けられた軸支部を中心に回動しながら傾倒し、終には、該引出板２６と直交するようにして配置され、底板２７が飲物の載置台として機能するようになっている。そして、飲物等搭載ユニット２０Ｄの前方面２１の近傍の側壁面２４において、高さ方向の上方側と下方側のそれぞれに高さ方向に延在する突起部２５Ｕ、２５Ｄが形成され、前記前方面２１から各突起部２５Ｕ、２５Ｄを交叉するように距離Ｗで隔った箇所には孔２８Ｕ、２８Ｄが形成されている。これら孔２８Ｕ、２８Ｄは、飲物等搭載ユニット２０Ｄの後端部に至るまで水平（図中（−）ｙ方向）に延在されて構成されている。これにより、飲物等搭載ユニット２０Ｄを図中（−）ｙ方向へ移動させることによってホルダー１１に収納する際に、ホルダー１１の側方ケース１１Ｂに形成された爪部１２が前記孔２８Ｕ、２８Ｄに移動し、飲物等搭載ユニット２０Ｄの側壁面２４の背面に位置づけられるようになっている。なお、飲物等搭載ユニット２０Ｄに形成される突起部２５Ｕ、２５Ｄ、孔２８Ｕ、２８Ｄは、飲物等搭載ユニット２０Ｄがホルダー１１に収納された際に、ホルダー１１の側方ケース１１Ｂに形成された爪部１２と同じ高さとなる位置に形成されている。
【００５０】
小物入れユニット２０Ｅは、図７に示すように、その前方面２１に容器２９が設けられて形成され、この容器２９には、例えば、タバコ、携帯電話等を載置できるようになっている。そして、小物入れユニット２０Ｅは、その前方面２１の近傍の側面壁２４が比較的狭い幅Ｗで形成され、その高さ方向の上方側と下方側のそれぞれに高さ方向に延在する突起部２５Ｕ、２５Ｄが形成されている。この場合においても、小物入れユニット２０Ｅに形成される突起部２５Ｕ、２５Ｄは、小物入れユニット２０Ｅがホルダー１１に収納された際に、ホルダー１１の側方ケース１１Ｂに形成された爪部１２と同じ高さとなる位置に形成されている。
【００５１】
スペーサユニット２０Ｂ、２０Ｃは、図８に示すように、前方面２１に何も取り付けられていない構成となっており、例えば小物入れユニット２０Ｅと同様に、その前方面２１の近傍の側面に側面壁２４が比較的狭い幅Ｗで形成され、その高さ方向の上方側と下方側のそれぞれに高さ方向に延在する突起部２５Ｕ、２５Ｄが形成されている。この場合においても、スペーサユニット２０Ｂ、２０Ｃに形成される突起部２５Ｕ、２５Ｄは、スペーサユニット２０Ｂ、２０Ｃがホルダー１１に収納された際に、ホルダー１１の側方ケース１１Ｂに形成された爪部１２と同じ高さとなる位置に形成されている。
【００５２】
このように構成された台間サンドは、種類の異なる幾つかの機能ユニット２０を予め用意しておくことで、所望の機能ユニット２０のみをホルダー１１に収納できるのみでなく、高さ方向における配置の順番を変更できるようになっている。図９は、各機能ユニット２０を、順番を変えてホルダー１１に収納させた一つの態様を示し、ホルダー１１の上方から下方へ、順次、小物入れユニット２０Ｅ、スペーサユニット２０Ｂ、情報案内ユニット２０Ａ、スペーサユニット２０Ｃ、及び飲物等載置ユニット２０Ｄが配置させたものを示している。このことから、本発明によれば、設置箇所の環境によって各種の機能を使い易くできる台間サンド１０を得ることができる。
【００５３】
（第２の実施形態）
本発明の第２の実施形態である台間サンド１０を図に示す。図１０は図１と対応づけて描いた図で、図１と異なる構成は、台間サンドの幅寸法がＴ’（＞Ｔ）となっており、第１の実施形態で示した台間サンド１０の幅寸法Ｔよりも大きく構成されている。そして、そのホルダー１１（幅寸法はＴ’）に収納される各機能ユニット２０は、第１の実施形態に示したと同様の大きさのものをそのまま用いている。
【００５４】
これによって、遊技機島１に配置される遊技機２の隣接する間隙に合わせて台間サンド１０のホルダー１１を構成しても、予め規格されて形成されている各機能ユニット２０をそのまま用いることができるという効果を奏するようになる。
【００５５】
図１１は、図１０に示した台間サンド１０において、前方ケース１１Ａを側方ケース１１Ｂから取り外した状態を示した図である。図１１に示すように、それぞれの各機能ユニット２０において、ホルダー１１の側方ケース１１Ｂとの間にスペーサ板３０が介在されるようになっている。スペーサ板３０は、各機能ユニットにおいて、それぞれ、図示される一方の面において上下方向に２個、図示されていない他方の面において上下方向に２個介在され、合計４個のスペーサが側方ケース１１Ｂとの間に介在されている。
【００５６】
図１２は、スペーサ板３０を示し、（ａ）は上面（表面）図、（ｂ）は側面図、（ｃ）は背面（裏面）図、（ｄ）は正面図である。スペーサ板３０は、各種の機能ユニット２０に、該機能ユニット２０の突起部２５Ｕ、２５Ｄが形成された箇所を被うように取り付けられて用いられるようになっている。これにより、スペーサ板３０は、機能ユニット２０とホルダー１１の各側方ケース１１Ｂとの隙間にそれぞれ配置され、機能ユニット２０はホルダー１１の幅方向における中央に安定した状態で配置できるようになっている。このため、スペーサ板３０の厚さ（図１２（ｂ）、（ｄ）のｔに相当する）は、機能ユニット２０とホルダー１１の一方の側方ケース１１Ｂとの隙間の寸法とほぼ同じ長さに設定されるようになっている。
【００５７】
スペーサ板３０は、その断面がほぼコ字状（図１２（ｄ）、図１３参照）をなし、その表面には平坦面３１を有し、裏面には凹陥面３２を有するように構成されている。スペーサ板３０は、機能ユニット２０に取り付けられた場合において、その凹陥面３２に、機能ユニット２０の突起部２５Ｕ（２５Ｄ）をその両脇から挟み込む一対の突起部３３Ａ、３３Ｂと、先端が機能ユニット２０の側壁面２４の背面側に位置づけられる爪部３４が形成されている。これにより、スペーサ板３０は、その爪部３４を機能ユニット２０の側壁面２４に係止させた状態で各突起部３３Ａ、３３Ｂを機能ユニット２０の突起部２５Ｕ（２５Ｄ）に挟持させることにより、機能ユニット２０に容易に嵌合でき、その取り外しも容易に行うことができるようになっている。
【００５８】
図１３は、例えばスペーサユニット２０Ｂ、２０Ｃにスペーサ板３０を勘合させた状態を示した斜視図である。スペーサ板３０は、スペーサユニット２０Ｂ、２０Ｃに形成されている各突起部２５Ｕ、２５Ｄ（図８参照）を被うようにして該スペーサユニット２０Ｂ、２０Ｃに嵌合されている。なお、図１３はスペーサユニット２０Ｂ、２０Ｃのみを示したものであるが、スペーサユニット２０Ｂ、２０Ｃに限らず、情報案内ユニット２０Ａ、飲物等載置ユニット２０Ｄ、小物入れユニット２９Ｅ等の他の機能ユニット２０にも同様に嵌合できるようになっている。
【００５９】
また、スペーサ板３０には、その平坦面３１において、突起部３５と切り欠き部３６とが形成されている。突起部３５は、スペーサ板３０が機能ユニット２０に勘合された場合において、機能ユニット２０に形成された突起部２５Ｕ、２５Ｄ（図８参照）と平面的に観て重なり合う箇所に設けられている。また、切り欠き部３６は、スペーサ板３０が機能ユニット２０に勘合された場合において、側方ケースの前端片からＷの距離の箇所（図１３参照）に設けられ、ホルダー１１の側方ケース１１Ｂに形成された爪部１２がスペーサ板３０の凹陥面３２側に位置づけられるようになっている。これにより、スペーサ板３０は、スペーサとしての機能とともに、ホルダー１１の側方ケース１１Ｂとの係止がなされる機能を有するように構成されるようになっている。
【００６０】
このように構成された台間サンド１０は、たとえ台間サンドの幅寸法（図１０のＴ’に相当する）を大きく形成しても、その幅寸法に適合できる厚さのスペーサ板３０を予め用意しておくことでホルダー１１に機能ユニット２０を収納することができるようになる。このことから、異なる幅寸法の台間サンド１０を製作する場合でも、該台間サンド１０に組み込む各種の機能ユニット２０をそのまま使用することができるようになる。
【００６１】
（第３の実施形態）
第１の実施形態に示した台間サンドは、例えばパチンコホールにおいて並設されるパチンコ台の台間に配置されるものとして説明したものである。しかし、これに限定されることはなく、本発明の台間サンドは、例えばスロットマシン等の他の遊技機においても適用できることはいうまでもない。
【００６２】
（第４の実施形態）
次に、図１４及び１５を参照しつつ、台間サンド１０に第１の分煙ボート４０Ａと第２の分煙ボード４０Ｂの２枚から構成された分煙ボード４０を取り付けた形態について説明する。図１４では、第１の分煙ボード４０Ａ及び第２の分煙ボード４０Ｂを最大限引出した状態を、図１５では、第１の分煙ボード４０Ａ及び第２の分煙ボード４０Ｂを台間サンド１０の中に収納した状態を示している。台間サンド１０の上部及び下部の内側には、引出可能な一対の取付枠４１が設けられており、一対の取付枠４１の間には、第１の分煙ボード４０Ａが固定されている。さらに、一対の取付枠４１には溝が設けられており、その溝には摺動可能に第２の分煙ボード４０Ｂが配置されている。第２の分煙ボード４０Ｂは、一対の取付枠４１の溝の端部から脱落しないための凸部を上端と下端の所定の位置に有している（図示せず）。
【００６３】
第２の分煙ボード４０Ｂに設けられた引出孔４０Ｃに指を掛けて手前に引くと、まず第２の分煙ボード４０Ｂが台間サンド１０より引き出され、続いて第１の分煙ボード４０Ａが引き出されることとなる。図１６は、第１の分煙ボード４０Ａ及び第２の分煙ボード４０Ｂを設けた台間サンド１０が配置された遊技機島１の一部を上方から観た図である。台間サンド１０に設けられた機能ユニット２０の例としては、引き出されて底板２７が開いた状態の飲物等搭載ユニット２０Ｄを示している。
【００６４】
ここでは、第１の分煙ボード４０Ａが台間サンド１０に対し摺動可能に、第２の分煙ボード４０Ｂが第１の分煙ボード４０Ｂに対し摺動可能にそれぞれ設けられている例を示しているが、その構成はこれらに限定されるものではない。例えば、第１の分煙ボード４０Ａが台間サンド１０に固定的に取り付けられ、第２の分煙ボード４０Ｂが第１の分煙ボード４０Ａに摺動可能、回動可能又は折畳み可能に取り付けられていてもよい。回動可能なものの場合には、第１の分煙ボード４０Ａ又は取付枠４１に支点を設け、第２の分煙ボード４０Ｂをその支点を介して回転させることができる。また、折畳み可能なものの場合には、第１の分煙ボード４０Ａ又は取付枠４１に例えば蝶番を設け、第２の分煙ボード４０Ｂをその蝶番を介して折り畳ませることができる。
【００６５】
なお、第１の分煙ボード４０Ａ及び第２の分煙ボード４０Ｂの形状、寸法などは、図示されたものに限定されることはなく、パチンコホール等のニーズに合わせて選択することができる。その材質は軽量で丈夫なものであればよいが、遊技者の動作やパチンコホール等のメンテナンスなどの便宜のため、硬すぎないものが好ましい。
【００６６】
（第５の実施形態）
図１７は、第５の実施形態を示しており、第４の実施形態とは異なり、台間サンド１０に１枚から構成された分煙ボード４０を固定的に取り付けた形態を示している。分煙ボード４０は、台間サンド１０の上下の端部に設けられた支持体４２を介してネジ止めなどにより固定されている。もちろん、１枚の分煙ボード４０から構成される本実施形態においても、この分煙ボード４０を台間サンド１０に対し、摺動可能、回動可能又は折畳み可能に取り付けてもよい。回動可能なものの場合には、台間サンド１０の内部に支点を設け、分煙ボード４０をその支点を介して回転させることができる。また、折畳み可能なものの場合には、例えば支持体４２に蝶番を設け、分煙ボード４０をその蝶番を介して折り畳ませることができる。なお、分煙ボード４０の形状、寸法又は材質などについては、第４の実施形態と同様である。
【００６７】
以上説明したことから明らかなように、本発明の台間サンドによれば、設置箇所の環境によって各種の機能を使い易くできるようになる。また、異なる幅寸法の台間サンドを製作する場合でも、該台間サンドに組み込む各種の機能ユニットをそのまま使用することができるようになる。
【００６８】
以上、実施形態を用いて本発明を説明したが、本発明の技術的範囲は上記実施形態に記載の範囲には限定されないことは言うまでもない。上記実施形態に、多様な変更または改良を加えることが可能であることが当業者に明らかである。また、その様な変更または改良を加えた形態も本発明の技術的範囲に含まれ得ることが、特許請求の範囲の記載から明らかである。
【符号の説明】
【００６９】
１……遊技機島
２……遊技機
３……遊技席
１０……台間サンド
１１……ホルダー
１１Ａ……前方ケース
１１Ｂ……側方ケース
１２……爪部
２０……機能ユニット
２０Ａ……情報案内ユニット
２０Ｂ、２０Ｃ……スペーサユニット
２０Ｄ……飲物等載置ユニット
２０Ｅ……小物入れユニット
２１……前方面
２２……長孔
２３……留め具
２４……側壁面
２５Ｕ、２５Ｄ……突起部
２６……引出板
２６Ａ……取手部
２７……底板
２８Ｕ、２８Ｄ……孔
２９……容器
３０……スペーサ板
３１……平坦面
３２……凹陥面
３３Ａ、３３Ｂ……突起部
３４……爪部
３５……突起部
３６……切り欠き部
４０……分煙ボード
４０Ａ……第１の分煙ボード
４０Ｂ……第２の分煙ボード
４０Ｃ……引出孔
４１……分煙ボードの取付枠
４２……分煙ボードの係止体
【図１】
2013176554.tif 000003
【図２】
2013176554.tif 000004
【図３】
2013176554.tif 000005
【図４】
2013176554.tif 000006
【図５】
2013176554.tif 000007
【図６】
2013176554.tif 000008
【図７】
2013176554.tif 000009
【図８】
2013176554.tif 000010
【図９】
2013176554.tif 000011
【図１０】
2013176554.tif 000012
【図１１】
2013176554.tif 000013
【図１２】
2013176554.tif 000014
【図１３】
2013176554.tif 000015
【図１４】
2013176554.tif 000016
【図１５】
2013176554.tif 000017
【図１６】
2013176554.tif 000018
【図１７】
2013176554.tif 000019